【手続補正書】
【提出日】平成24年12月18日(2012.12.18)
【手続補正１】
【補正対象書類名】明細書
【補正対象項目名】発明の名称
【補正方法】変更
【補正の内容】
【発明の名称】データ生成装置、データ生成方法およびプログラム
【手続補正２】
【補正対象書類名】明細書
【補正対象項目名】０００１
【補正方法】変更
【補正の内容】
【０００１】
本発明は、複数の異なるインク毎にノズル列を備えた記録ヘッドを用いて、記録媒体上の同一記録領域に対して、記録ヘッドの複数回の走査によって画像を記録するためのデータ生成装置、データ生成方法およびプログラムに関するものである。
【手続補正３】
【補正対象書類名】明細書
【補正対象項目名】００１２
【補正方法】変更
【補正の内容】
【００１２】
本発明の目的は、装置の複雑化および大型化を招くことなく、画像表面の光沢を向上させつつ、高品位の画像を記録することができるデータ生成装置、データ生成方法およびプログラムを提供することにある。
【手続補正４】
【補正対象書類名】明細書
【補正対象項目名】００１３
【補正方法】変更
【補正の内容】
【００１３】
本発明のデータ生成装置は、インクを吐出可能な複数のノズルが副走査方向に沿って配列されたノズル列を備えた記録ヘッドを、前記副走査方向と交差する主走査方向に複数回走査させることにより記録媒体上の所定領域に画像を記録するためのデータ生成装置であって、第１のインクの走査毎の記録比率の加重平均が前記第１のインクよりも明度の低い第２のインクの走査毎の記録比率の加重平均よりも大きくなり、かつ、前記第１のインクの記録比率の最大値が前記第２のインクの記録比率の最大値より大きくなるように、前記記録ヘッドから前記第１および第２のインクを吐出させるためのデータを生成する生成手段を備えることを特徴とする。
【手続補正５】
【補正対象書類名】明細書
【補正対象項目名】００１４
【補正方法】変更
【補正の内容】
【００１４】
本発明のデータ生成装置は、インクを吐出可能な複数のノズルが副走査方向に沿って配列されたノズル列を備えた記録ヘッドを、前記副走査方向と交差する主走査方向に複数回走査させることにより記録媒体上の所定領域に画像を記録するためのデータ生成装置であって、第１のインクの走査毎の記録比率の加重平均が前記第１のインクよりも明度の低い第２のインクの走査毎の記録比率の加重平均よりも大きくなり、かつ、前記第１のインクの記録比率の加重平均からの分散が前記第２のインクの記録比率の加重平均からの分散より小さくなるように、前記記録ヘッドから前記第１および第２のインクを吐出させるためのデータを生成する生成手段を備えることを特徴とする。
【手続補正６】
【補正対象書類名】特許請求の範囲
【補正対象項目名】全文
【補正方法】変更
【補正の内容】
【特許請求の範囲】
【請求項１】
インクを吐出可能な複数のノズルが副走査方向に沿って配列されたノズル列を備えた記録ヘッドを、前記副走査方向と交差する主走査方向に複数回走査させることにより記録媒体上の所定領域に画像を記録するためのデータ生成装置であって、
第１のインクの走査毎の記録比率の加重平均が前記第１のインクよりも明度の低い第２のインクの走査毎の記録比率の加重平均よりも大きくなり、かつ、前記第１のインクの記録比率の最大値が前記第２のインクの記録比率の最大値より大きくなるように、前記記録ヘッドから前記第１および第２のインクを吐出させるためのデータを生成する生成手段を備えることを特徴とするデータ生成装置。
【請求項２】
前記記録比率の加重平均はΣ（ｎ×ｆｘ（ｎ））／Σｆｘ（ｎ）によって求められ、
ｆｘ（ｎ）は、それぞれのインクのｎ走査目の記録比率、Σは、ｎに関して１から総走査回数Ｎまでの和を取ることを意味することを特徴とする請求項１に記載のデータ生成装置。
【請求項３】
インクを吐出可能な複数のノズルが副走査方向に沿って配列されたノズル列を備えた記録ヘッドを、前記副走査方向と交差する主走査方向に複数回走査させることにより記録媒体上の所定領域に画像を記録するためのデータ生成装置であって、
第１のインクの走査毎の記録比率の加重平均が前記第１のインクよりも明度の低い第２のインクの走査毎の記録比率の加重平均よりも大きくなり、かつ、前記第１のインクの記録比率の加重平均からの分散が前記第２のインクの記録比率の加重平均からの分散より小さくなるように、前記記録ヘッドから前記第１および第２のインクを吐出させるためのデータを生成する生成手段を備えることを特徴とするデータ生成装置。
【請求項４】
前記記録比率の加重平均はΣ（ｎ×ｆｘ（ｎ））／Σｆｘ（ｎ）によって求められ、
前記加重平均からの分散はΣ（（ｎ−Ｇｘ）2×ｆｘ（ｎ））／Σｆｘ（ｎ）によって求められ、
ｆｘ（ｎ）は、それぞれのインクのｎ走査目の記録比率、Σは、ｎに関して１から総走査回数Ｎまでの和を取ること、Ｇｘは、それぞれのインクの加重平均を意味することを特徴とする請求項３に記載のデータ生成装置。
【請求項５】
前記第２のインクは、前記第１のインクと同一色相であることを特徴とする請求項１から４のいずれかに記載のデータ生成装置。
【請求項６】
前記記録領域にインクドットを形成するための記録データに基づいて、マスクパターンを用いて前記記録ヘッドの複数回の走査に対応するデータを生成することを特徴とする請求項１から５のいずれかに記載のデータ生成装置。
【請求項７】
前記複数色のインクは、色材が顔料であるインクを含むことを特徴とする請求項１から６のいずれかに記載のデータ生成装置。
【請求項８】
インクを吐出可能な複数のノズルが副走査方向に沿って配列された複数のノズル列を備えた記録ヘッドを、前記副走査方向と交差する主走査方向に複数回走査させることにより記録媒体上の所定領域に画像を記録するためのデータ生成方法であって、
第１のインクの走査毎の記録比率の加重平均が前記第１のインクよりも明度の低い第２のインクの走査毎の記録比率の加重平均よりも大きくなり、かつ、前記第１のインクの記録比率の最大値が前記第２のインクの記録比率の最大値より大きくなるように、前記記録ヘッドから前記第１および第２のインクを吐出させるためのデータを生成することを特徴とするデータ生成方法。
【請求項９】
前記記録比率の加重平均はΣ（ｎ×ｆｘ（ｎ））／Σｆｘ（ｎ）によって求められ、
ｆｘ（ｎ）は、それぞれのインクのｎ走査目の記録比率、Σは、ｎに関して１から総走査回数Ｎまでの和を取ることを意味することを特徴とする請求項８に記載のデータ生成方法。
【請求項１０】
インクを吐出可能な複数のノズルが副走査方向に沿って配列されたノズル列を備えた記録ヘッドを、前記副走査方向と交差する主走査方向に複数回走査させることにより記録媒体上の所定領域に画像を記録するためのデータ生成方法であって、
第１のインクの走査毎の記録比率の加重平均が前記第１のインクよりも明度の低い第２のインクの走査毎に記録比率の加重平均よりも大きくなり、かつ、前記第１のインクの記録比率の加重平均からの分散が第２のインクの記録比率の加重平均からの分散より小さくなるように、前記記録ヘッドから前記第１および第２のインクを吐出させるためのデータを生成することを特徴とするデータ生成方法。
【請求項１１】
前記記録比率の加重平均はΣ（ｎ×ｆｘ（ｎ））／Σｆｘ（ｎ）によって求められ、
前記加重平均からの分散はΣ（（ｎ−Ｇｘ）2×ｆｘ（ｎ））／Σｆｘ（ｎ）によって求められ、
ｆｘ（ｎ）は、それぞれのインクのｎ走査目の記録比率、Σは、ｎに関して１から総走査回数Ｎまでの和を取ること、Ｇｘは、それぞれのインクの加重平均を意味することを特徴とする請求項１０に記載のデータ生成方法。
【請求項１２】
前記第２のインクは、前記第１のインクと同一色相であることを特徴とする請求項８から１１のいずれかに記載のデータ生成方法。
【請求項１３】
前記記録領域にインクドットを形成するための記録データに基づいて、マスクパターンを用いて前記記録ヘッドの複数回の走査に対応するデータを生成することを特徴とする請求項８から１２のいずれかに記載のデータ生成方法。
【請求項１４】
前記複数色のインクは、色材が顔料であるインクを含むことを特徴とする請求項８から１３のいずれかに記載のデータ生成方法。
【請求項１５】
請求項８から１４のいずれかに記載のデータ生成方法をコンピュータに実行させるためのプログラム。